(57)【要約】  ゴルフクラブ用のゴルフクラブグリップは、第１の端部、第２の端部、内面および外面を有する細長部材を備える。第１の端部は、ゴルフクラブシャフトを受容するように構成される。第２の端部は、その中に第１のねじ部を有するインサートを備える開口部を含む。細長部材は、内面から内側に所定の距離を延在するストッパを備える。ストッパは、ゴルフクラブのシャフトとインサートとを分離する。
2017506979.tif 000002
【特許請求の範囲】
【請求項１】
ゴルフクラブ用のゴルフクラブグリップであって、
第１の端部、第２の端部、内面および外面を有する細長部材を備え、
前記第１の端部は、ゴルフクラブシャフトを受容するように構成され、前記第２の端部は開口部を有し、前記開口部は、第１のねじ部を内部に有するインサートを備え、
前記細長部材は、前記内面から内部に向けて所定の長さ延在するストッパを備え、前記ストッパは前記ゴルフクラブシャフトと前記インサートとを分離すること、
を特徴とするゴルフクラブグリップ。
【請求項２】
請求項１に記載のゴルフクラブであって、前記インサートは、第１のフランジと、前記フランジから延在する本体部とを備え、前記ねじ部は前記フランジおよび前記本体部の内部に延在することを特徴とするゴルフクラブ。
【請求項３】
請求項２に記載のゴルフクラブであって、前記本体部は複数の壁を備えることを特徴とするゴルフクラブ。
【請求項４】
請求項３に記載のゴルフクラブであって、前記複数の壁は正多角形を形成することを特徴とするゴルフクラブ。
【請求項５】
請求項３に記載のゴルフクラブであって、前記複数の壁は４つの壁を備えることを特徴とするゴルフクラブ。
【請求項６】
請求項５に記載のゴルフクラブであって、前記４つの壁は正方形を含むことを特徴とするゴルフクラブ。
【請求項７】
請求項２に記載のゴルフクラブであって、前記インサートは前記本体部に近接する第２のフランジを備えることを特徴とするゴルフクラブ。
【請求項８】
請求項７に記載のゴルフクラブであって、前記第２のフランジは、前記細長部材と係合する少なくとも一つの突起を備えることを特徴とするゴルフクラブ。
【請求項９】
請求項８に記載のゴルフクラブであって、前記少なくとも一つの突起は、前記第２のフランジから長手方向に延在することを特徴とするゴルフクラブ。
【請求項１０】
請求項２に記載のゴルフクラブであって、前記第１のフランジは上面を備え、前記上面は、前記インサートが前記開口部に受容されたときに前記細長部材の前記第２の端部と端が揃うこと、を特徴とするゴルフクラブ。
【請求項１１】
請求項１に記載のゴルフクラブであって、前記ストッパは、前記細長部材の内面にわたって連続する帯であること、を特徴とするゴルフクラブ。
【請求項１２】
請求項１に記載のゴルフクラブであって、前記所定の長さは、前記シャフトの厚み以上であること、を特徴とするゴルフクラブ。
【請求項１３】
請求項１に記載のゴルフクラブであって、前記ストッパはステップ形状を備えること、を特徴とするゴルフクラブ。
【請求項１４】
請求項１に記載のゴルフクラブであって、前記ストッパは、前記グリップの内壁に対して垂直に延在する第１の壁および第２の壁と、前記第１の壁および前記第２の壁の間に延在する第３の壁とを備えること、を特徴とするゴルフクラブ。
【請求項１５】
請求項１４に記載のゴルフクラブであって、前記第３の壁は、前記第１の壁および前記第２の壁に対して垂直であり、前記グリップの前記内壁に対して平行であること、を特徴とするゴルフクラブ。
【請求項１６】
シャフトを含むゴルフクラブのグリップシステムであって、
請求項１に記載のグリップと、
前記インサートの前記第１のねじ部と係合する第２のねじ部を備える第１のウェイトを備えるウェイトと、
を備えることを特徴とするシステム。
【請求項１７】
請求項１６に記載のシステムであって、前記ウェイトは、第１のウェイト端部が前記細長部材と端が揃うように前記細長部材に受容されることを特徴とするシステム。
【請求項１８】
ゴルフクラブであって、
ヘッドと、
第１のシャフト端部および前記ヘッドに固定される第２のシャフト端部を有するシャフトと、
請求項１６に記載のグリップシステムと、
を備えることを特徴とするゴルフクラブ。
【請求項１９】
請求項１８に記載のゴルフクラブであって、前記シャフトは前記ストッパに直接隣接し、前記インサートは前記ストッパに直接隣接することを特徴とするゴルフクラブ。
【請求項２０】
請求項１８に記載のゴルフクラブであって、前記グリップは第１の材料から製造され、前記インサートは前記第１の材料とは異なる第２の材料から製造されることを特徴とするゴルフクラブ。
【発明の詳細な説明】
【技術分野】
【０００１】
関連出願へのクロスリファレンス
この出願は、２０１５年３月３日に出願された米国特許出願番号１４／６３６，２８９に対する優先権を主張するとともに、２０１４年３月４日に出願された米国仮出願番号６１／９４７，５７０に対する利益を主張する。上記出願のすべての開示はここに参照により含まれる。
【０００２】
本開示は、ゴルフクラブのグリップに関し、特にゴルフクラブのための内部ウェイトシステムを含むグリップに関する。
【背景技術】
【０００３】
このセクションは、本開示に関連する背景情報を提供するものであり、必ずしも先行技術を提供するものではない。
【０００４】
ゴルファーのスイングの微調整に加え、ゴルフクラブの重量はゴルフショットの距離と精度に影響を与えうる。パット感は精度のために重要である。様々なメーカーがパターの感触を変更するために様々な方法を提供している。ウェイトの提供は、ゴルフクラブの感触を変化させる一つの方法である。
【発明の概要】
【０００５】
ゴルフクラブのウェイトが調節可能であることは、ゴルファーにとってゴルフショットの距離と精度を改善しおよび／または完成するために有利でありうる。
【０００６】
本開示の一態様では、ゴルフクラブ用のゴルフクラブグリップは、第１の端部、第２の端部、内面および外面を有する細長部材を含む。第１の端部は、ゴルフクラブのシャフトを受容するように構成される。第２の端部は、第１のねじ部をその中に有するインサートを備えた開口部を有する。細長部材は、内面から内側に向けて所定の距離を延在するストッパを備える。ストッパは、ゴルフクラブのシャフトおよびインサートを分離する。
【０００７】
さらなる適用領域がここの記載から明らかになる。説明および特定の実施例は、例示のみを目的とするものであり、本開示の範囲を限定するものではないことが理解されるべきである。
【０００８】
ここに開示の図面は、全ての可能な実施形態ではなく選択された形態のみを図示することを目的としており、本開示の範囲を限定するものではない。
【０００９】
図面の各図にわたり、対応する参照番号は対応する部位を示す。
【図面の簡単な説明】
【００１０】
【図１】図１は、本開示の教示によるグリップおよび内部ウェイトシステムを含み、さらにシャフトとヘッドとを含む例示的なゴルフクラブの正面図である。
【図２】図２は、グリップ、インサートおよびシャフトの部分分解斜視図である。
【図３Ａ】図３Ａは、グリップ、内部ウェイトシステム、およびシャフトの部分分解断面図である。
【図３Ｂ】図３Ｂは、図３Ａの線３Ｂ−３Ｂに沿った、中のインサートを外したグリップの上面図である。
【図４Ａ】図４Ａは、インサートの上面図である。
【図４Ｂ】図４Ｂは、インサートの側面図である。
【図５】図５は、内部ウェイトシステムの断面図である。
【図６Ａ】図６Ａは、グリップおよびシャフトを添えた、本開示の教示によるグリップキャップの部分分解図である。
【図６Ｂ】図６Ｂは、インサート内に挿入されたグリップキャップの上面図である。
【図７Ａ】図７Ａは、インサートの変形例の上面図である。
【図７Ｂ】図７Ｂは、インサートの変形例の斜視図である。
【図８】図８は、グリップ内に挿入されたインサートの変形例の断面図である。
【発明を実施するための形態】
【００１１】
以下の説明は、本質的に単なる例示であり、本開示、適用または使用を限定することを意図するものではない。明確にするために、同様の要素を識別するために同一の参照番号が図面で使用される。本開示を詳細とし、当業者に十分にその範囲を伝達するように実施例が提供される。具体的な構成要素の例などの多数の具体的な詳細が、本開示の実施例の詳細な理解を提供するために記載される。具体的な細部は必ずしも採用する必要がなく、実施例は多くの異なる形態で具現化することができ、いずれも本開示の範囲を限定するものと解釈されるべきでないことは当業者にとって明らかである。さらに、本開示の教示は、デバイスのウェイトを調整することが有利であり、望まれる他の用途にも適用可能であることが理解されるべきである。そのような適用例としてはたとえば、テニスラケット、釣り竿、および／またはホッケースティックなどが挙げられるが、これらに限定されない。
【００１２】
図１には、ヘッド１２、シャフト１４、およびグリップ１６を含むゴルフクラブ１０が示されている。ヘッド１２は、ゴルフコース上の様々な位置からゴルフボール（不図示）を打つように構成されうる。ヘッド１２は、たとえばグリーンから（すなわち図示されたパター）、ティーボックスから（すなわちドライバー）、またはフェアウェイ、ラフもしくはバンカーから（すなわちアイアンやウェッジ）、ゴルフボールを打つように構成されうる。
【００１３】
図１〜６を参照すると、シャフト１４は、第１の端部１８と第２の端部２０との間に延在する細長部材である。シャフト１４は、金属（たとえば、スチールシャフト）または炭素繊維（すなわち、グラファイトシャフト）のような適切な材料から製造することができる。シャフト１４の第１の端部１８はグリップ１６を支えるように構成され、シャフト１４の第２の端部２０はヘッド１２に固定される。シャフト１４は、端部１８、２０の間で断面が均一となるようにしてもよいし、第１の端部１８と第２の端部２０との間で断面が先細になるようにしてもよい。シャフト１４は、端部１８、２０の間ずっと中空であってもよいし、シャフト１４は、第１の端部から少なくとも一部に延在するボアを含むようにしてもよい。このように、シャフト１４は、外面２２と、内面２３と、少なくとも第１の端部１８の近傍における内部チャネルまたはキャビティ２４とを含む。外面２２と内面２３との間の距離はシャフト１４の厚さを規定する。内面２３は内部のキャビティ２４を規定する。
【００１４】
グリップ１６は、細長い中空部材であり、天然もしくは合成ゴムまたはエラストマー材料のような、適切な材料から製造することができる。グリップ１６は、第１の端部２６、対向する第２の端部２８、内側グリップキャビティ３０、および外側グリップ面３２を含む。
【００１５】
第１の端部２６は台尻とも呼ばれる。グリップ１６の第１の端部２６は、内部ウェイトシステム５０をグリップ１６に取り付けるためのインサート３４を受容するように構成された開口部３３を含む。グリップ１６の第２の端部２８は、シャフト１４を内側グリップキャビティ３０に受容するように構成された第２の開口部を含みうる。シャフト１４の第１の端部１８において外面２２がグリップ１６の第１の端部２６と概ね端が揃うようにあるいは互いに揃うように、シャフト１４は内側グリップキャビティ３０に受容されうる。内側グリップキャビティ３０の形状は、少なくともシャフト１４の第１の端部１８の近傍において、シャフト１４の外面２２の形状と一致しうる。言い換えれば、少なくとも第１の端部１８の近傍においてシャフト１４の外面２２が円形または五角形の形状を有していれば、内側グリップキャビティ３０も同様に対応する円形または五角形の形状を有しうる。内側グリップキャビティ３０と外面２２との間には、グリップ１６がシャフト１４の側面上を滑ったり、グリップ１６がシャフト１４の軸方向に回転したりすることを制限するべく、接着剤または結合剤が用いられうる。外側グリップ面３２は、たとえば、円筒形、五角形、六角形、または卵形など、いかなる形状を有していてもよい。
【００１６】
特に図２〜図４を参照すると、インサート３４は、金属、ナイロンまたは高分子材料などの適切な材料から製造することができる。インサート３４は、環状フランジ３６と本体３８とを有する。本体３８は、外面４０と内面４２とを有する。インサート３４は、環状フランジ３６の上面４４がグリップ１６の第１の端部２６と概ね揃うように、グリップ１６の開口部３３に受容されうる。上面４４はウェイトキャップ５４のフランジを受容するための凹部４５を有する。
【００１７】
本体３８は、複数の壁４６ａ、４６ｂ、４６ｃ、４６ｄを備え、その断面を多角形とすることができる。本実施例では、４つの壁４６ａ、４６ｂ、４６ｃおよび４６ｄが本体の多角形の外形を形成する。もっとも３つ以上の壁を用いることができる。多角形は正多角形でなくてもよい。多角形は異なる長さの壁を有することができる。壁４６ａ、４６ｂ、４６ｃ、４６ｄは、内側グリップキャビティ３０に係合するように構成され、グリップ１６に対するインサート３４の軸方向の回転や側面上での動きを抑制し得る。インサート３４を開口部に固定するべく、接着剤または結合剤がグリップ１６とインサート３４との間に用いられうる。
【００１８】
環状本体３８の内面４２の内にあるねじ部４８は、インサート３４に対してさらに最終的にはグリップ１６に対して、後述されるウェイトシステム５０およびグリップキャップ５２を選択的に螺合してつなげるように構成される。後に詳述される他の実施例では、インサート３４はグリップ１６にオーバーモールドされあるいは一体的に形成される。
【００１９】
グリップ１６の第１の端部２６は端部キャップ８０とも呼ばれる。端部キャップ８０は、インサート３４の外形に対応する形状を有しうる。この実施例では、インサート３４は、フランジ３６の形状に対応する円形凹部８２を有する。円形凹部８２はフランジ３６の厚さに相当する深さを有する。円形凹部８２は、端部キャップ８０の端部から軸方向内側に延在する。端部キャップ８０またはグリップ１６は多角形状の凹部８４も有しうる。多角形状の凹部８４は、インサート３４の本体３８を受容する形状寸法を有する。本実施例では、４つの壁４６Ａ、４６Ｂ、４６Ｃ、４６Ｄが本体３８を形成するために用いられる。多角形状の凹部８４はまた、グリップの第１の端部２６から下向きまたは軸方向内側（長手方向）に延在する４つの側面８６Ａ、８６Ｂ、８６Ｃ、８６Ｄを有する。つまり、側面８６Ａ、８６Ｂ、８６Ｃおよび８６Ｄは、挿入後にフランジ３６が当接する平面８８から軸方向内側に延在する。ウェイト５０が容易に挿入されうるように、インサート３４の内面４２とグリップの他の部分とは干渉しないように形成される。
【００２０】
特に図３Ａを参照すると、挿入されたシャフト１４とともにグリップ１６の断面図が描かれている。この例では、インサート３４は、ねじ山４８が見えるように図示する目的で分離されている。
【００２１】
グリップ３６は、内壁１００を有する。内壁１００は、シャフト１４の外壁２２に隣接するように図示されている。内壁１００は、そこから内側に延在するストッパ１０２を有する。ストッパ１０２は、図示された例では、円形または環状の帯である。ストッパ１０２は、内壁１００の内周にわたる連続した帯であってよい。ストッパ１０２は、組立時にシャフト１４がインサート３４を外向けに付勢することを防ぐ。ストッパ１０２はグリップ１６の内壁１００から半径方向にＸ１の距離で延在する。シャフト１４の内壁２３は、内壁１００からＸ２の距離で延在する。好ましくは、距離Ｘ２は、ストッパ１０２の延出に対応する距離Ｘ１よりも短い。これにより、ウェイトシステム５０が、シャフトを障害とせずに、容易にキャビティ３０に挿入されるようにすることができる。距離Ｘ２は距離Ｘ１と等しくてもよい。インサート３４の本体３８は、このようにして、シャフトへの取付けが完了したときに、ストッパ１０２によりシャフト１４から分離される。ストッパ１０２の開口部の直径に相当する直径Ｄ１は、インサート３４のねじ山４８の内径Ｄ２に一致しうる。したがって、図３Ｂに最もよく表されているように、ウェイトシステム５０が閉塞態様で容易に挿入されうるように、ねじ山４８の並びにより形成される有効開口部、ストッパ１０２、およびシャフトの内部キャビティ２４が整列される。
【００２２】
ストッパ１０２は、第１の壁１０４、第２の壁１０６および第３の壁１０８を備える。本実施例では、第１の壁１０４は、グリップの内壁１００から内壁１００に対して垂直に延在する。本実施例において、第２の壁１０６も、グリップ１６の壁１００に対して垂直な方向に延在する。本実施例に示されているように、第３の壁１０８は、第１の壁１０４および第２の壁１０６の両方に対して垂直な方向に延在しうる。第１の壁１０４、第２の壁１０６および第３の壁１０８は、ステップ状の段差を形成する。したがって、ストッパ１０２はステップ状のストッパである。組み立て上がったときに、シャフト１４はストッパ１０２に直接隣接する。特にシャフト１４はストッパ１０２の第２の壁１０６に直接隣接する。第３の壁１０８の長さに相当するストッパ１０２の厚さは、組立中にシャフト１４がインサート３４を動かしてしまうことを防ぐ。
【００２３】
図１〜４を参照すると、ウェイトシステム５０は、グリップ１６の第１の端部２６とシャフト１４のキャビティ２４とに選択的に挿入されることができ、インサート３４に螺合するように構成される。ウェイトシステム５０は、ウェイトキャップ５４、スペーサ５６、ウェイト５８、およびスリーブ６０を含む。
【００２４】
ウェイトキャップ５４は、金属またはポリマー材料など、適切な材料から製造されうる環状の部材である。ウェイトキャップ５４は、第１のねじ部６２と、第１のねじ部６２の下方に位置する第２のねじ部６４と、第１のねじ部６２の上端６８の上に位置する固定ソケット６６とを含む。ウェイトキャップ５４の第１のねじ部６２は、ウェイトシステム５０をグリップ１６に固定するために、インサート３４のねじ部４８と螺合するように構成されている。ウェイトキャップ５４の第２のねじ部６４は、以下に説明するスペーサ５６と螺合する。ウェイトキャップ５４の上端６８は、ウェイトシステム５０がグリップ１６に取り付けられたときに「仕上げ」または均一な外観となるように、グリップ１６と同じ材料から製造されまたはオーバーモールドされうる。固定ソケット６６は、たとえば六角レンチ（図示せず）のような固定キーと係合するように、たとえば六角形の形状を有することができる。固定ソケット６６は、ウェイトキャップ５４とウェイトシステム５０とをインサート３４に締め付けて取り付けるために、あるいはインサート３４からウェイトキャップ５４とウェイトシステム５０とを緩めて取り外すために用いることができる。
【００２５】
スペーサ５６は、金属、グラファイトまたは高分子材料などの適切な材料から製造することのできる細長い部材である。スペーサ５６は、第１の端部７０と反対側に位置する第２の端部７２とを含む。第１の端部７０においてスペーサ５６は、ウェイトキャップ５４の第２のねじ部６４と螺合するように構成された第１のねじ部７４を有する。第２の端部７２においてスペーサ５６は、後述するウェイト５８と螺合するように構成された第２のねじ部７６を有する。スペーサ５６は様々な長さを有することができ、シャフト１４の端部１８、２０に対するゴルフクラブ１０の重心の位置をユーザがカスタマイズできるようにしている。たとえば、ユーザは、長いスペーサを用いてゴルフクラブ１０の重心をヘッド１２寄りにし、あるいは、短いスペーサを用いてゴルフクラブ１０の重心をグリップ１６寄りとすることができる。
【００２６】
ウェイト５８は、金属や真鍮のような適切な材料から製造することができる細長い部材である。ウェイト５８は、第１の端部７８とその反対側に位置する第２の端部８１とを含む。第１の端部７８において、ウェイト５８はスペーサ５６の第２のねじ部７６と螺合するように構成された第１のねじ部８３を有する。第２の端部８１において、ウェイト５８は、追加のウェイト（不図示）を取り付けるための第２のねじ部（不図示）を有しうる。ウェイト５８は、ゴルフクラブ１０に加えられる重量をカスタマイズする能力をユーザに提供するように、様々な重量とすることができる。
【００２７】
スリーブ６０は、発泡材料または高分子材料のような適切な材料から製造することのできる弾性的に圧縮可能な部材である。スリーブ６０は、ウェイト５８に被さって延在するように構成され、あるいはウェイト５８と一体的に形成されうる。スリーブ１６は、ウェイトシステム５０がグリップ１６とシャフト１４のキャビティ２４との内に挿入されたときに、スリーブ６０が縮んで強くキャビティ２４と係合するように、シャフト１４のキャビティ２４よりも大きく構成されていてよい。この点では、スリーブ６０は、キャビティ２４内におけるウェイト５８およびウェイトシステム５０の軸方向および／または半径方向の動きに抵抗し、使用時にウェイト５８およびウェイトシステム５０がキャビティ２４に対してぶつかったり振動したりしないようにすることができる。
【００２８】
図２〜６には、グリップ１６にウェイトシステム５０を取り付ける方法の一例が説明されている。ウェイト５８は、ゴルフクラブ１０に加えることが所望される重量を有するものを選択することができる。スリーブ６０は、ウェイト５８に装着することができる。スペーサ５６は、ヘッド１２とグリップ１６との間の所望の位置でゴルフクラブ１０の重心を位置決めするための長さを有するものを選択することができる。ウェイト５８の第１のねじ部８３と、スペーサ５６の第２のねじ部７６とは螺合されうる。スペーサ５６とウェイト５８とが螺合解除しないように、ロックタイト（登録商標）などの固定接着剤がねじ部８３、７６の間に適用されてもよい。スペーサ５６の第１のねじ部７４と、ウェイトキャップ５４の第２のねじ部６４とが螺合されうる。スペーサ５６とウェイトキャップ５４とが螺合解除しないように、たとえばロックタイト（登録商標）などの固定接着剤がねじ部７４、６４の間に適用されてもよい。ウェイトシステム５０は、グリップ１６の開口部３３と、シャフト１４のキャビティ２４とに挿入することができる。ウェイトキャップ５４の固定ソケット６６をウェイトキャップ５４の第１のねじ部６２に螺合するために、六角レンチ（不図示）のような固定キーを用いることができる。ウェイトキャップ５４とインサート３４とが螺合解除しないように、ロックタイト（登録商標）のような固定接着剤をねじ部６２、４８間に適用してもよい。取り付けられた時に、ウェイト５８の第２の端部８１がグリップ１６の第２の端部２８と整列されることが好ましい。あるいは、ウェイト５８の第２の端部８１は、たとえば図１に示す第１の端部２６近傍のように、グリップ１６の端部２６、２８の間のどこかに位置づけてもよい。
【００２９】
ウェイトシステム５０は、ウェイトキャップ５４の第１のねじ部６２をインサート３４のねじ部４８から外すことにより、グリップ１６から取り外すことができる。固定キーは、ウェイトキャップ５４の固定ソケット６６と係合して、ねじ部６２、４８の間の係合を外すことができる。このようにして、ウェイトシステム５０はグリップ１６から分離されうる。
【００３０】
図６Ａおよび６Ｂに関し、ウェイトシステム５０を用いた追加の重量がゴルフクラブ１０に加えられることが望まれていない場合、代わりにグリップキャップ５２がインサート３４に螺合されてよい。グリップキャップ５２は、金属やポリマー材料のような適切な材料から製造することができる環状の部材である。グリップキャップ５２は、ねじ部１１６と、ねじ部１１６の上端部１２０の上に位置する固定のソケット１１８とを有する。ねじ部１１６は、ウェイトシステム５０がグリップ１６に取り付けられていないときに、インサート３４のねじ部４８と螺合するように構成されている。グリップキャップ５２の上端部１２０は、グリップキャップ５２がインサート３４に係合しているときに「仕上げの」または均一な外観を提供するべく、グリップ１６と同じ材料で製造され、またはオーバーモールドされることができる。固定ソケット１１８は、たとえば六角形の形状を有することができ、たとえば、六角キー（図示せず）などの固定キーを使用して、グリップキャップ５２のねじ部１１６と、インサート３４のねじ部４８とが螺合して締め付けられうる。グリップキャップ５２とインサート３４とが螺合解除されるのを防止するために、ロックタイト（登録商標）などの固定接着剤がねじ部１１６、４８の間に適用されうる。
【００３１】
グリップキャップ５２のねじ部１１６をインサート３４のねじ部４８から外すことにより、グリップキャップ５２はグリップ１６から取り外すことができる。固定キーをグリップキャップ５２の固定ソケット１１８に係合してねじ部１１６、４８を緩めるために用いてもよい。このようにしてグリップキャップ５２はグリップ１６から分離することができる。
【００３２】
ここで図７には、変形例のインサート３４’が記載されている。この例では、インサート３４’はまた、環状フランジ３６’および本体部３８’を有する。フランジ３６’は、インサート３４について上述されたものと同様に構成されている。フランジ３６’は、上述されたウェイトキャップ５４またはグリップキャップ５２を受け入れるために用いられる凹部７１２を有する。このように、インサート３４’の内側部分は、上述したものと同様に構成されている。
【００３３】
インサート３４’は、上述したものとは少し異なる本体部分３８’を有する。この実施例において、本体部３８’も、壁４６Ａ’、４６Ｂ’、４６Ｃ’および４６Ｄ’を含む。これらの図では、壁４６Ｃ’は見えなくなっている。したがって、本体部３８’はまた、上述したものと同様に、多角形の面または壁を有する。この実施例では、本体３８’は、フランジ３６’と反対の本体部分３８’に隣接して追加される第２のフランジ７１４を有する。第２のフランジ７１４は、上面として参照されうる表面７１６を有する。表面７１６は、フランジ３６’の底面が向いている方向と反対の方向に向いている。表面７１６は、そこから延在する突起７１８を含みうる。この例では２つの突起７１８だけが示されている。しかしながら、任意の数の突起を用いることができる。
【００３４】
インサート３４’は、射出成形または他のタイプの成形に適している。インサート３４’は、成形プロセスの熱に耐えることができる金属または他のタイプの材料から作られうる。壁４６Ａ’、４６Ｂ’、４６Ｃ’、４６Ｄ’は、ウェイトシステム５０およびグリップキャップ５２の取り付けや取り外しの際に、インサート３４’が回転しないようにする。加えて突起７１８は、ウェイトシステム５０およびグリップキャップ５２の取り付けや取り外しの際に、インサート３４’の抵抗力を増加させる。突起７１８は、面７１６からフランジ７１０の底面７１９に向かって、長手軸７２０に平行な長手方向に延在する。
【００３５】
ねじ山７２２は、インサート３４’を貫通して長手方向に延びる開口部７２４の内側に配置することができる。
【００３６】
ここで図８を参照すると、グリップ１６がインサート３４’の周りに成形されたように示されている。インサート３４’ではグリップの構成物が壁４６Ａ、４６Ｂ’、４６Ｃ’および４６Ｄ’（そのうちの一部、壁４６Ｂ’および４６Ｄ’のみが示されている。）に隣接する。ウェイトアセンブリ５０は、凹部７１２内に収まる。
【００３７】
ここで当業者は、本開示の広い教示が様々な形態で実施できることが、前述の説明から理解することができる。したがって、本開示は特定の実施例を含むところ、図面、明細書および請求項を検討すれば他の変形例も当業者にとって明らかとなることから、本開示の真の範囲はそのように限定すべきではない。
【図１】
2017506979.tif 000003
【図２】
2017506979.tif 000004
【図３Ａ】
2017506979.tif 000005
【図３Ｂ】
2017506979.tif 000006
【図４Ａ】
2017506979.tif 000007
【図４Ｂ】
2017506979.tif 000008
【図５】
2017506979.tif 000009
【図６Ａ】
2017506979.tif 000010
【図６Ｂ】
2017506979.tif 000011
【図７Ａ】
2017506979.tif 000012
【図７Ｂ】
2017506979.tif 000013
【図８】
2017506979.tif 000014
【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
ゴルフクラブのためのゴルフクラブグリップであって、
第１の端部、第２の端部、内面、および外面を有する細長部材であって、前記第１の端部はゴルフクラブシャフトを受容するように構成され、前記第２の端部は開口部を有し、前記細長部材は前記内面から内部に向けて所定の長さ延在するストッパを備える、細長部材と、
前記開口部に受容されるインサートであって、第１の側面断面形状を有する第１のフランジおよび前記第１のフランジから延在する本体部を備え、前記第１のフランジは上面を備え、前記上面は前記インサートが前記開口部に受容されたときに前記細長部材の前記第２の端部と揃う、インサートと、
を備え、
前記本体部は、前記第１のフランジおよび前記本体部の内部に延在する第１のねじ部を備え、
前記ストッパは、前記ゴルフクラブシャフトと前記インサートとを軸方向に分離すること、
を特徴とするゴルフクラブグリップ。
【請求項２】
請求項１に記載のゴルフクラブグリップであって、前記第２の端部は凹部を規定し、前記第１のフランジは前記凹部に受容されること、を特徴とするゴルフクラブグリップ。
【請求項３】
請求項１に記載のゴルフクラブグリップであって、前記本体部は複数の壁を備えることを特徴とするゴルフクラブグリップ。
【請求項４】
請求項３に記載のゴルフクラブグリップであって、前記複数の壁は正多角形を形成することを特徴とするゴルフクラブグリップ。
【請求項５】
請求項３に記載のゴルフクラブグリップであって、前記複数の壁は４つの壁を備えることを特徴とするゴルフクラブグリップ。
【請求項６】
請求項５に記載のゴルフクラブグリップであって、前記４つの壁は正方形を含むことを特徴とするゴルフクラブグリップ。
【請求項７】
請求項１に記載のゴルフクラブグリップであって、複数の壁をさらに備え、前記複数の壁は正多角形を形成することを特徴とするゴルフクラブグリップ。
【請求項８】
請求項１に記載のゴルフクラブグリップであって、複数の壁をさらに備え、前記複数の壁は４つの壁を備えることを特徴とするゴルフクラブグリップ。
【請求項９】
請求項８に記載のゴルフクラブグリップであって、前記４つの壁は正方形を備えることを特徴とするゴルフクラブグリップ。
【請求項１０】
ゴルフクラブのためのゴルフクラブグリップであって、
第１の端部、第２の端部、内面および外面を有する細長部材であって、前記第１の端部はゴルフクラブシャフトを受容するように構成され、前記第２の端部は開口部を有し、前記細長部材は前記内面から内部に向けて所定の長さを延在するストッパを備える、細長部材と、
前記開口部に受容され、第１のフランジ、前記第１のフランジから延在する本体部、ならびに前記第１のフランジおよび前記本体部の内部に延在する第１のねじ部を備えるインサートと、
を備え、
前記ストッパは、前記ゴルフクラブシャフトと前記インサートとを軸方向に分離し、
前記インサートは、前記本体部に近接し前記第１のフランジから軸方向に離間する第２のフランジを備えること、
を特徴とするゴルフクラブグリップ。
【請求項１１】
請求項１０に記載のゴルフクラブグリップであって、前記本体部は複数の壁を備えることを特徴とするゴルフクラブグリップ。
【請求項１２】
請求項１１に記載のゴルフクラブグリップであって、前記複数の壁は正多角形を形成することを特徴とするゴルフクラブグリップ。
【請求項１３】
請求項１１に記載のゴルフクラブグリップであって、前記複数の壁は４つの壁を備えることを特徴とするゴルフクラブグリップ。
【請求項１４】
請求項１３に記載のゴルフクラブグリップであって、前記４つの壁は正方形を含むことを特徴とするゴルフクラブグリップ。
【請求項１５】
請求項１０に記載のゴルフクラブグリップであって、前記第２のフランジは前記細長部材と係合する少なくとも１つの突起を備えること、を特徴とするゴルフクラブグリップ。
【請求項１６】
請求項１５に記載のゴルフクラブグリップであって、前記少なくとも一つの突起は、前記第２のフランジから長手方向に延在することを特徴とするゴルフクラブグリップ。
【請求項１７】
請求項１０に記載のゴルフクラブグリップであって、前記ストッパは前記細長部材の内面にわたって連続する帯であること、を特徴とするゴルフクラブグリップ。
【請求項１８】
請求項１０に記載のゴルフクラブグリップであって、前記所定の長さは、前記シャフトの厚み以上であること、を特徴とするゴルフクラブグリップ。
【請求項１９】
請求項１０に記載のゴルフクラブグリップであって、前記ストッパはステップ形状を備えること、を特徴とするゴルフクラブグリップ。
【請求項２０】
請求項１０に記載のゴルフクラブグリップであって、前記ストッパは、前記グリップの内壁に対して垂直に延在する第１の壁および第２の壁と、前記第１の壁および前記第２の壁の間に延在する第３の壁とを備えること、を特徴とするゴルフクラブグリップ。
【請求項２１】
請求項２０に記載のゴルフクラブグリップであって、前記第３の壁は、前記第１の壁および前記第２の壁に対して垂直であり、前記グリップの前記内壁に対して平行であること、を特徴とするゴルフクラブグリップ。
【請求項２２】
シャフトを含むゴルフクラブのグリップシステムであって、
請求項１０に記載のグリップと、
前記インサートの前記第１のねじ部と係合する第２のねじ部を備える第１のウェイトを備えるウェイトと、
を備えることを特徴とするシステム。
【請求項２３】
請求項２２に記載のシステムであって、前記ウェイトは、第１のウェイト端部が前記細長部材と端が揃うように前記細長部材に受容されることを特徴とするシステム。
【請求項２４】
ゴルフクラブであって、
ヘッドと、
第１のシャフト端部および前記ヘッドに固定される第２のシャフト端部を有するシャフトと、
請求項２２に記載のグリップシステムと、
を備えることを特徴とするゴルフクラブ。
【請求項２５】
請求項２４に記載のゴルフクラブであって、前記シャフトは前記ストッパに直接隣接し、前記インサートは前記ストッパに直接隣接することを特徴とするゴルフクラブ。
【請求項２６】
請求項２４に記載のゴルフクラブであって、前記グリップは第１の材料から製造され、前記インサートは前記第１の材料とは異なる第２の材料から製造されることを特徴とするゴルフクラブ。
【国際調査報告】
2017506979.tif 000015
2017506979.tif 000016